(57)【特許請求の範囲】
【請求項１】
商品が取り付けられる商品展示台であって、
前記商品が取り付けられる商品載置部を有した本体と、
前記本体に内蔵された無線発信部と、
該商品を前記商品載置部に固定する商品固定部と、
前記本体を切り離し容易に載置するベースボードと、
を具備し、
前記無線発信部は、
前記本体が前記ベースボードと切り離されたときに起動することを特徴とする商品展示台。
【請求項２】
前記ベースボードは、前記本体との間に起動ピンを有し、
前記本体は、前記ベースボードに載置した状態で前記起動ピンを挿入する挿入孔を有し、
前記無線発信部は、
前記挿入孔に挿入された前記起動ピンによって常時圧接され、前記起動ピンが前記挿入孔から抜けて前記起動ピンによる圧接がなくなると起動することを特徴とする請求項１記載の商品展示台。
【発明の詳細な説明】
【０００１】
【発明の属する技術分野】
本発明は、指輪やネックレス等の比較的小さい商品が盗難された場合、商品の位置を特定して追跡発見することができる商品展示台に関する。
【０００２】
【従来の技術】
従来より、例えば、現金護送車両や輸送トランク等に予め無線発信器を取り付けておき、盗難行為があった場合に、その無線発信機が発信する電波を受信して位置を特定して追跡する盗品発見システムが提案されている。
【０００３】
また、無線発信機として、ＰＨＳ端末機を利用して、既存のＰＨＳ電話網を利用して、ＰＨＳ端末機の発信した信号を受信したアンテナの位置情報からＰＨＳ端末器の位置を特定するシステムが実用化されている。
【０００４】
【発明が解決しようとする課題】
このような従来の盗難品発見システムでは、その対象が現金輸送車や現金輸送トランク等の比較的大型のものであるため、ＰＨＳ端末機や無線発信機を内蔵させることが容易である。
【０００５】
しかし、指輪やネックレス等の貴金属のアクセサリーは商品自体が比較的小さく、無線発信機やＰＨＳ端末機を直接取り付けることは困難であった。
【０００６】
また、指輪等に直接取り付けたとしても盗難時に容易に破壊されてしまうという問題点があった。
【０００７】
本発明の目的は、たとえ商品が盗難されたとしても、商品の所在位置を常に特定できる商品展示台の提供にある。
【０００８】
【課題を解決するための手段】
上述の目的に鑑みなされたもので、本発明は、商品が取り付けられる商品展示台であって、前記商品が取り付けられる商品載置部を有した本体と、前記本体に内蔵された無線発信部と、該商品を前記商品載置部に固定する商品固定部と、前記本体を切り離し容易に載置するベースボードと、を具備し、前記無線発信部は、前記本体が前記ベースボードと切り離されたときに起動することを特徴とする。
【００１０】
また、前記ベースボードは、前記本体との間に起動ピンを有し、前記本体は、前記ベースボードに載置した状態で前記起動ピンを挿入する挿入孔を有し、前記無線発信部は、前記挿入孔に挿入された前記起動ピンによって常時圧接され、前記起動ピンが前記挿入孔から抜けて前記起動ピンによる圧接がなくなると起動することを特徴とする。
【００１１】
【発明の実施の形態】
図１は、本発明による商品展示台１を対象物である指輪２に取り付けたときの外観図である。１は商品展示台で、その本体１０の上面には指輪２が載置されている。指輪２は、商品固定リング１２により商品展示台１０と接続されている。
【００１２】
図２は、商品展示台１の構成図である。商品展示台１は、ベースボード１１と本体１０とから構成されている。ベースボード１１は、起動ピン１１１及び本体１０の上面の商品が見易いように本体１０を傾斜させて、ベースボード１１上に載置するための支持部１１２が設けられ、ベースボード１１そのものはショーケース等にボルト１１３にて固定されている。
【００１３】
本体１０には商品固定リング１２、商品固定リング１２を商品展示台本体１０に取り付けるための商品固定リング挿入孔１４、商品固定リング１３を固定するためのリング施錠部１５が設けられている。
【００１４】
商品展示台本体１０の内部には、ＰＨＳ端末機１３が設けられている。商品展示台本体１０は、例えばプラスチック筐体で構成され、その上面は例えばビロードが貼り付けられており、常時は指輪の展示台として使用する。
【００１５】
商品展示台本体１０の上面には、商品固定リング１２が挿入される商品固定リング挿入孔１４が設けられている。指輪２は、商品展示台１の上面に置かれ、商品固定リング１２にて商品展示台本体１０の上面に固定される。
【００１６】
商品固定リング１２は、商品展示台本体１０上面に設けられている固定リング挿入孔１４に挿入された後、リング施錠部１５で固定され、容易に外れないようになっている。
【００１７】
商品である指輪２は、商品展示台本体１０の上面に固定されて展示されており、客が手にとって試着する場合には、店員が所持する鍵３にてリング施錠部１５を解錠し、商品固定リング１２を商品固定リング挿入孔１４から抜き取ることにより指輪が取り出せるようになっている。
【００１８】
商品展示台本体１０は、ベースボード１１の支持部１１２上に載置されている。この載置された状態では、起動ピン１１１が商品展示台本体１０の底面に設けられている起動ピン挿入孔１６に挿入されている。
【００１９】
商品展示台本体１０内部のＰＨＳ端末機１３は、ベースボード１１の起動ピン１１１が起動ピン挿入孔１６に挿入されているとき、すなわちベースボード１１の上に載置されているときには動作を停止している。
【００２０】
次に、対象商品である指輪２とともに商品展示台本体１０が持ち去られた場合の動作について説明する。
【００２１】
泥棒が指輪２を盗ろうとすると、指輪２は商品固定リング１２によって商品展示台本体１０と接続されているので、泥棒は指輪２とともに商品展示台本体１０も一緒に持ち去ることとなる。
【００２２】
尚、商品展示台本体１０は、ベースボード１１上に載置されているだけで固定されていないため、ベースボード１１と容易に切り離される。
【００２３】
また、泥棒は商品展示台１を単なる商品の展示台としか認識しないため、短時間で犯行を行うときには、敢えて指輪２から商品展示台本体１０を外すことはしない。
【００２４】
商品展示台本体１０は、図示しないショーケース内から持ち去られると、前述のごとくベースボー１１と切離し、それに伴いベースボード１１の起動ピン１１１が商品展示台本体１０裏面の起動ピン挿入孔１６から抜けることとなる。
【００２５】
その結果、商品展示台本体１０内部のＰＨＳ端末機１３が起動する。
【００２６】
その後、ＰＨＳ端末機１３から継続して発信された電波が近くの図示しないＰＨＳ基地局にて受信され、ＰＨＳの発信電波を受信した基地局の位置から、商品展示台本体１０すなわち、盗難品の位置が特定されることとなり、警察もしくは警備会社による盗難品の追跡、発見が容易となる。
【００２７】
本発明による商品展示台によれば、常時は商品の展示台として使用し、商品の盗難時には、泥棒には無線発信機が内蔵されていることを気づかれずに商品とともに持ち去られることとなる。そして、自動的に無線発信機が起動するので、盗まれた商品の追跡発見が容易となる。
【００２８】
本発明による商品展示台の実施例において、無線発信部が起動ピンの圧接がなくなると起動するように説明したが、例えば支持部の圧接がなくなるとアクチュエ−タが起動し、このアクチュエ−タによって、無線発信部が起動するようにしてもよい。
【００２９】
【図面の簡単な説明】
【図１】商品展示台の外観図
【図２】商品展示台の構成図
【符号の説明】
１…商品展示台
１０…商品展示台本体
１１…ベースボード
１１１…起動ピン
１１３…ボルト
１２…商品固定リング
１３…ＰＨＳ端末機
２…指輪
３…鍵
【図１】
0004043110.tif 000002
【図２】
0004043110.tif 000003